(57)【特許請求の範囲】
【請求項１】
液晶表示パネルと、該液晶表示パネル上の所定の箇所に搭載された液晶駆動用の半導体チップと、所定の部分を前記液晶表示パネル上の他の所定の箇所に接続されたフレキシブル配線基板とを具備し、前記フレキシブル配線基板の一部を少なくとも前記半導体チップ上まで延ばし、当該一部をシールド構造部としたことを特徴とする液晶表示モジュール。
【請求項２】
液晶表示パネルと、該液晶表示パネルの所定の一辺上に搭載された複数の液晶駆動用の半導体チップと、所定の部分を前記液晶表示パネル上の所定の箇所に接続されたフレキシブル配線基板とを具備し、前記フレキシブル配線基板の一部を少なくとも前記複数の半導体チップ上まで延ばし、当該一部をシールド構造部としたことを特徴とする液晶表示モジュール。
【請求項３】
請求項２記載の発明において、前記シールド構造部には前記複数の半導体チップのうち前記フレキシブル配線基板の前記液晶表示パネルとの接続部分から離れた位置に搭載された半導体チップ用の入力側配線の一部が設けられていることを特徴とする液晶表示モジュール。
【請求項４】
請求項３記載の発明において、前記入力側配線の一部は電源線であることを特徴とする液晶表示モジュール。
【請求項５】
請求項１〜４のいずれかに記載の発明において、前記シールド構造部は前記フレキシブル配線基板に形成された配線を形成するための銅箔の一部によって形成されたシールド層を有していることを特徴とする液晶表示モジュール。
【請求項６】
請求項５記載の発明において、前記シールド層は前記配線のうちグランド線に接続されていることを特徴とする液晶表示モジュール。
【請求項７】
請求項１〜６のいずれかに記載の発明において、前記シールド構造部は少なくとも前記半導体チップ上に両面接着テープを介して接着されていることを特徴とする液晶表示モジュール。
【請求項８】
請求項１〜７のいずれかに記載の発明において、前記液晶表示パネルは１つのシールドケース内に配置されていることを特徴とする液晶表示モジュール。
【請求項９】
請求項８記載の発明において、前記液晶表示パネルは前記シールドケースの内面に両面接着テープを介して接着されていることを特徴とする液晶表示モジュール。
【発明の詳細な説明】
【０００１】
【発明の属する技術分野】
この発明は液晶表示モジュールに関する。
【０００２】
【従来の技術】
従来の液晶表示モジュールには、図６〜図８に示すようなものがある。このうち図６は液晶表示モジュールの一部の平面図を示し、図７は図６において上シールドケースを取り除いた状態の平面図を示し、図８は図６のＡ−Ａ線に沿う断面図を示す。この液晶表示モジュールは、方形状箱型の金属製の下シールドケース１の側壁を同じく方形状箱型の金属製の上シールドケース２の側壁内に嵌合し、図示しないフック部によって互いに結合してなるものを備えている。両シールドケース１、２の相対向する部分には開口部３、４が設けられている。
【０００３】
両シールドケース１、２内には液晶表示パネル１１が下シールドケース１の内面に両面接着テープ（図示せず）を介して接着されて収納されている。液晶表示パネル１１は、液晶セルを構成する下ガラス基板１２及び上ガラス基板１３の下面及び上面に偏光板１４、１５が貼り付けられた構造となっている。この場合、下ガラス基板１２の図７における右辺部及び下辺部は上ガラス基板１３から突出され、これらの突出部１２ａ、１２ｂの上面の各所定の箇所にはＬＳＩ等からなる液晶駆動用の半導体チップ１６、１７が搭載されている。ここで、両シールドケース１、２は、半導体チップ１６、１７から発せられるノイズを封じ込める役目を有する。
【０００４】
下ガラス基板１２の下辺部右端の上面の所定の箇所にはフレキシブル配線基板２１の一端部が接続されている。そして、右側の半導体チップ１６の入力側バンプ電極（図示せず）は、主として右側の突出部１２ａの上面に設けられた入力側配線２２を介してフレキシブル配線基板２１の一端部の下面に設けられた接続端子（図示せず）に接続されている。下側の半導体チップ１７の入力側バンプ電極（図示せず）は、主として下側の突出部１２ｂの上面に設けられた入力側配線２３を介してフレキシブル配線基板２１の一端部の下面に設けられた接続端子（図示せず）に接続されている。
【０００５】
【発明が解決しようとする課題】
ところで、従来のこのような液晶表示モジュールでは、両シールドケース１、２内に液晶表示パネル１１を収納しているので、どちらかといえば部品点数が多く、また厚くなる上、重くなるという問題があった。
この発明の課題は、部品点数を少なくすることである。
【０００６】
【課題を解決するための手段】
請求項１記載の発明は、液晶表示パネルと、該液晶表示パネル上の所定の箇所に搭載された液晶駆動用の半導体チップと、所定の部分を前記液晶表示パネル上の他の所定の箇所に接続されたフレキシブル配線基板とを具備し、前記フレキシブル配線基板の一部を前記半導体チップ上まで延ばし、当該一部をシールド構造部としたものである。
請求項２記載の発明は、液晶表示パネルと、該液晶表示パネルの所定の一辺上に搭載された複数の液晶駆動用の半導体チップと、所定の部分を前記液晶表示パネル上の所定の箇所に接続されたフレキシブル配線基板とを具備し、前記フレキシブル配線基板の一部を少なくとも前記複数の半導体チップ上まで延ばし、当該一部をシールド構造部としたものである。
請求項８記載の発明は、前記液晶表示パネルを１つのシールドケース内に配置したものである。
請求項１または２記載の発明によれば、フレキシブル配線基板の一部を少なくとも半導体チップ上まで延ばし、当該一部をシールド構造部としているので、このシールド構造部によって半導体チップから発せられるノイズを封じ込めることができる。この結果、請求項８記載の発明のように、液晶表示パネルを１つのシールドケース内に配置しても、１つのシールドケースとフレキシブル配線基板のシールド構造部とによって半導体チップから発せられるノイズを封じ込めることができ、したがってシールドケースは１つでよく、部品点数を少なくすることができる。
【０００７】
【発明の実施の形態】
図１はこの発明の第１実施形態における液晶表示モジュールの要部の平面図を示し、図２はそのフレキシブル配線基板の一部の透過平面図を示したものである。これらの図において、図７と同一名称部分には同一の符号を付し、その説明を適宜省略する。この液晶表示モジュールにおいて、図７に示す場合と異なる点は、上シールドケース２を備えておらず、その代わりに、フレキシブル配線基板２１にシールド機能を持たせた点である。
【０００８】
すなわち、この液晶表示モジュールにおけるフレキシブル配線基板２１は、配線基板本体３１と、この配線基板本体３１の一端部上辺左部に連続して設けられた直線状の第１のシールド構造部３２と、配線基板本体３１の一端部左辺に連続して設けられた直線状の第２のシールド構造部３３とを備えている。この場合、第１及び第２のシールド構造部３２、３３の各下面のほぼ全体には第１及び第２のシールド層３４、３５が設けられている。第１及び第２のシールド層３４、３５は、配線基板本体３１の下面に形成された配線３６を形成するための銅箔の一部によって形成されている。第１のシールド層３４の下端部は引き回し線３７を介して複数の配線３６のうち最も右側の配線からなるグランド線３６ａに接続されている。第２のシールド層３５の右端部は引き回し線３８、第１のシールド層３４及び引き回し線３７を介してグランド線３６ａに接続されている。
【０００９】
そして、配線基板本体３１の一端部は下ガラス基板１２の下辺部右端の上面の所定の箇所に異方性導電接着剤４１を介して接合されている。第１のシールド構造部３２は右側の突出部１２ａ上及び半導体チップ１６上に両面接着テープ４２を介して接着されている。第２のシールド構造部３３は下側の突出部１２ｂ上及び半導体チップ１７上に両面接着テープ４３を介して接着されている。なお、フレキシブル配線基板２１においては、図示していないが、配線基板本体３１の下面のうち両端部（配線３６の両端部で接続端子となる部分）を除く部分にソルダーレジスト等からなる絶縁膜が設けられているので、この絶縁膜と両面接着テープ４２、４３との存在により、第１、第２のシールド層３４、３５及び引き回し線３８が例えば図７に示す入力側配線２２、２３とショートすることはない。
【００１０】
このように、この液晶表示モジュールでは、フレキシブル配線基板２１の第１及び第２のシールド構造部３２、３３によって半導体チップ１６、１７を覆っているので、上シールドケースがなくても、下シールドケース１とフレキシブル配線基板２１の第１及び第２のシールド構造部３２、３３とによって半導体チップ１６、１７から発せられるノイズを封じ込めることができる。この結果、シールドケースとしては下シールドケース１の１つでよく、部品点数を少なくすることができ、また薄型化及び軽量化を図ることができる。ちなみに、この液晶表示モジュールでは、図６〜図８に示す従来の場合と比較して、厚さで２０％程度薄くすることができ、重さで１０％程度軽くすることができる。
【００１１】
ところで、下シールドケース１の所定の３隅の３面はシボリ加工により互いにつながっているので、下シールドケース１のみを用いても、十分な剛性を確保することができる。なお、下シールドケース１の内面に絶縁性フィルムを貼り付けるようにしてもよい。
【００１２】
次に、図３はこの発明の第２実施形態における液晶表示モジュールの要部の平面図を示し、図４はその液晶表示パネルの一部の平面図を示し、図５はそのフレキシブル配線基板の一部の透過平面図を示したものである。これらの図において、図１及び図２と同一名称部分には同一の符号を付し、その説明を適宜省略する。
【００１３】
この液晶表示モジュールでは、図３に示すように、下側の突出部１２ｂ上に２つの半導体チップ１７ａ、１７ｂが搭載されている。そして、図４に示すように、右側の半導体チップ１７ａの入力側バンプ電極（図示せず）は、主として突出部１２ｂの上面に設けられた第１及び第２の入力側配線５１、５２の一端部に接続されている。左側の半導体チップ１７ｂの入力側バンプ電極（図示せず）は、主として突出部１２ｂの上面に設けられた第１、第２及び第３の入力側配線５３、５４、５５の一端部に接続されている。
【００１４】
この場合、第１の入力側配線５３の他端部は第１の入力側配線５１の一部の一端部に接続されている。第２の入力側配線５４の他端部は第２の入力側配線５２の一端部に接続されている。第３の入力側配線５５の他端部は両半導体チップ１７ａ、１７ｂ間のほぼ中央部において途切れている。なお、第１及び第２の入力側配線５１、５２の他端部は下ガラス基板１２の下辺部右端の上面の所定の箇所に配置されている。また、主として右側の突出部１２ａ上の所定の箇所には、図７に示す場合と同様に、右側の半導体チップ１６用の入力側配線２２が設けられている。
【００１５】
一方、図５に示すように、フレキシブル配線基板２１の第２のシールド構造部３３の下面において各半導体チップ１７ａ、１７ｂに対応する部分には第２のシールド層３５ａ、３５ｂが設けられている。左側の第２のシールド層３５ｂの右端部は、引き回し線３８ｂ、右側の第２のシールド層３５ａ、引き回し線３８ａ、第１のシールド層３４及び引き回し線３７を介してグランド線３６ａに接続されている。第２のシールド構造部３３の下面において両第２のシールド層３５ａ、３５ｂ間には複数の例えば５つの接続端子６１が設けられている。接続端子６１は引き回し線６２を介して複数の配線３６のうち左側の５本の配線からなる電源線３６ｂに接続されている。
【００１６】
そして、配線基板本体３１の一端部は下ガラス基板１２の下辺部右端の上面の所定の箇所に異方性導電接着剤４１を介して接合されている。第２のシールド構造部３３の接続端子６１の部分は下側の突出部１２ｂ上の第３の入力側配線５５の右端部に異方性導電接着剤４４を介して接合されている。第１のシールド構造部３２は右側の突出部１２ａ上及び半導体チップ１６上に両面接着テープ４２を介して接着されている。第２のシールド構造部３３は下側の突出部１２ｂ上及び両半導体チップ１７ａ、１７ｂ上に両面接着テープ４３を介して接着されている。
【００１７】
このように、この液晶表示モジュールでも、フレキシブル配線基板２１の第１及び第２のシールド構造部３２、３３によって半導体チップ１６、１７ａ、１７ｂを覆っているので、上シールドケースがなくても、下シールドケース１とフレキシブル配線基板２１の第１及び第２のシールド構造部３２、３３とによって半導体チップ１６、１７ａ、１７ｂから発せられるノイズを封じ込めることができる。この結果、シールドケースとしては下シールドケース１の１つでよく、部品点数を少なくすることができ、また薄型化及び軽量化を図ることができる。
【００１８】
また、この液晶表示モジュールでは、下側の突出部１２ｂ上の左側の半導体チップ１７ｂ用の電源線（６１、６２）をフレキシブル配線基板２１の第２のシールド構造部３３に設けているので、この電源線（６１、６２）を下側の突出部１２ｂ上に設ける場合と比較して、下側の突出部１２ｂの幅（額縁の幅）を小さくすることができる。しかも、第３の配線５５等をＩＴＯによって形成する場合、電源線の低抵抗化を図るには第３の配線５５の幅を大きくすることになるが、電源線（６１、６２）は低抵抗の銅箔によって形成されているので、電源線（６１、６２）を低抵抗化することができる上、下側の突出部１２ｂの幅（額縁の幅）をより一層小さくすることができる。
【００１９】
なお、上記各実施形態において、第１のシールド構造部３２を右側の半導体チップ１６上のみに両面接着テープを介して接着するようにしてもよく、また第２のシールド構造部３３を下側の半導体チップ１７（１７ａ、１７ｂ）上のみに両面接着テープを介して接着するようにしてもよい。
【００２０】
また、上記各実施形態では、下シールドケース１を備えた液晶表示モジュールについて説明したが、この発明は下シールドケースを備えていない液晶表示モジュールにも適用することができる。この場合、下シールドケースを備えていないので、フレキシブル配線基板２１のシールド構造部３２、３３のみによって半導体チップ１６、１７（１７ａ、１７ｂ）から発せられるノイズを封じ込めることになるが、簡易型の液晶表示モジュールの場合には有効である。
【００２１】
【発明の効果】
以上説明したように、請求項１または２記載の発明によれば、フレキシブル配線基板の一部を少なくとも半導体チップ上まで延ばし、当該一部をシールド構造部としているので、このシールド構造部によって半導体チップから発せられるノイズを封じ込めることができる。この結果、請求項８記載の発明のように、液晶表示パネルを１つのシールドケース内に配置しても、１つのシールドケースとフレキシブル配線基板のシールド構造部とによって半導体チップから発せられるノイズを封じ込めることができ、したがってシールドケースは１つでよく、部品点数を少なくすることができ、また薄型化及び軽量化を図ることができる。
【図面の簡単な説明】
【図１】この発明の第１実施形態における液晶表示モジュールの要部の平面図。
【図２】図１に示すフレキシブル配線基板の一部の透過平面図。
【図３】この発明の第２実施形態における液晶表示モジュールの要部の平面図。
【図４】図３に示す液晶表示パネルの一部の平面図。
【図５】図３に示すフレキシブル配線基板の一部の透過平面図。
【図６】従来の液晶表示モジュールの一例の一部の平面図。
【図７】図６において上ケースを取り除いた状態の平面図。
【図８】図６のＡ−Ａ線に沿う断面図。
【符号の説明】
１  下シールドケース
１１  液晶表示パネル
１６、１７  半導体チップ
２１  フレキシブル配線基板
３２、３３  シールド構造部
３４、３５  シールド層
３６  配線
３６ａ  グランド線
【図１】
0003764990.tif 000002
【図２】
0003764990.tif 000003
【図３】
0003764990.tif 000004
【図４】
0003764990.tif 000005
【図５】
0003764990.tif 000006
【図６】
0003764990.tif 000007
【図７】
0003764990.tif 000008
【図８】
0003764990.tif 000009